(57)【特許請求の範囲】
【請求項１】
屈曲ルーバーと横材とブラケットとを備え、屈曲ルーバーは、上縦ルーバーと下縦ルーバーの小口を角度をもって突き合せ、連結材により上縦ルーバーと下縦ルーバーを屈曲部を形成して連結してあり、連結材は、上縦ルーバー及び下縦ルーバーを前後左右方向に位置決めする中空形材であり上縦ルーバー及び下縦ルーバーをねじ止めするためのタッピングホールを有しており、横材は、屈曲ルーバー同士をつないでおり、ブラケットは、横材に取付けて躯体に連結してあることを特徴とするパネル体。
【発明の詳細な説明】
【技術分野】
【０００１】
本発明は、建物の外装・目隠しとして用いられるパネル体に関する。
【背景技術】
【０００２】
従来より、ビルの外装・目隠しとしてルーバーを設置することがあった。従来のルーバーは、まっすぐなものしかなく（例えば、非特許文献１参照）、より高意匠のものが求められた。
【先行技術文献】
【非特許文献】
【０００３】
【非特許文献１】三協立山アルミ株式会社発行のカタログ「内外装  総合カタログ」（カタログＮｏ．ＳＴＢ０２７４Ａ Ｓ．０８．０５−０３０）、２００８年６月、ｐ．３０−３１
【発明の概要】
【発明が解決しようとする課題】
【０００４】
本発明は以上に述べた実情に鑑み、意匠性の高いパネル体の提供を目的とする。
【課題を解決するための手段】
【０００５】
上記の課題を達成するために請求項１記載の発明によるパネル体は、屈曲ルーバーと横材とブラケットとを備え、屈曲ルーバーは、上縦ルーバーと下縦ルーバーの小口を角度をもって突き合せ、連結材により上縦ルーバーと下縦ルーバーを屈曲部を形成して連結してあり、連結材は、上縦ルーバー及び下縦ルーバーを前後左右方向に位置決めする中空形材であり上縦ルーバー及び下縦ルーバーをねじ止めするためのタッピングホールを有しており、横材は、屈曲ルーバー同士をつないでおり、ブラケットは、横材に取付けて躯体に連結してあることを特徴とする。
【発明の効果】
【０００６】
請求項１記載の発明によるパネル体は、屈曲ルーバーと横材とブラケットとを備え、屈曲ルーバーは、上縦ルーバーと下縦ルーバーの小口を角度をもって突き合せ、連結材により上縦ルーバーと下縦ルーバーを屈曲部を形成して連結してあり、横材は、屈曲ルーバー同士をつないでおり、ブラケットは、横材に取付けて躯体に連結してある構成により、意匠性の高いものとなる。また、屈曲ルーバーとすることで、横材同士が見込み方向に離れた位置に設けられているような場合であっても、ルーバーを取付できる。連結材は、上縦ルーバー及び下縦ルーバーを前後左右方向に位置決めする中空形材であり上縦ルーバー及び下縦ルーバーをねじ止めするためのタッピングホールを有しているので、上縦ルーバーと下縦ルーバーとを正確に位置決めしてねじ止めすることができ、屈曲ルーバーを正確に且つ容易に形成できる。
【図面の簡単な説明】
【０００７】
【図１】本発明のパネル体の一実施形態を示す側面図である。
【図２】図１のＡ−Ａ断面図である。
【図３】同パネル体の屋外側から見た正面図である。
【図４】本発明のパネル体の設置状態の一例を示す斜視図である。
【発明を実施するための形態】
【０００８】
以下、本発明の実施の形態を図面に基づいて説明する。図１〜３は、本発明のパネル体９の一実施形態を示している。本パネル体９は、建物（図示省略）の屋外側に外装や目隠しのために設置されるものであり、建物は上方に向かうにつれて屋外側にせり出すように外壁が傾斜しており、それに合わせてパネル体９も、図１に示すように、斜めに設置してある。
【０００９】
本パネル体９は、図１，３に示すように、左右方向に間隔をおいて配置した上下方向に長い複数の屈曲ルーバー１，１，…と、複数の屈曲ルーバー１，１，…の上部、中間部、下部をそれぞれつないでいる横材２と、横材２に取付けて建物の躯体８に連結されるブラケット３とを備えている。
【００１０】
屈曲ルーバー１は、図１に示すように、上端寄りの中間部で屋外側に屈曲する屈曲部７を有している。屈曲ルーバー１は、上縦ルーバー４と下縦ルーバー５と連結材６とを有している。上縦ルーバー４と下縦ルーバー５は、アルミ合金の押出形材で形成したものであって、図２に示すように矩形の中空断面となっている。上縦ルーバー４と下縦ルーバー５は、左右の側壁１０，１０の内側面にタッピングホール１１と突条１２が長手方向に形成してあり、屋内側の壁１３の内面に裏板保持溝１４が長手方向に形成してある。上縦ルーバー４と下縦ルーバー５の外周面は、四周とも溝や凹凸のないフラットな面になっている。図１に示すように、上縦ルーバー４の上端の小口と下縦ルーバー５の下端の小口には、小口キャップ１５がタッピングホール１１に螺入するネジ３８で取付けてある。
【００１１】
屈曲ルーバー１は、図１に示すように、上縦ルーバー４と下縦ルーバー５の小口１６を角度をもって突き合せ、中空部内に配置した連結材６により上縦ルーバー４と下縦ルーバー５を屈曲部７を形成して連結してある。連結材６は、アルミ形材を切断して形成したものであって、押出方向を上下縦ルーバー４，５の長手方向に直交する左右方向の向きで配置され、図２に示すように、上下縦ルーバー４，５の側壁１０，１０間にぴったり嵌る長さで切断してある。また連結材６は、図１，２に示すように、屋外側壁１９が上下方向の中間部で屈曲して位置決め部１７を形成し、その位置決め部１７を上下縦ルーバー４，５の屋外側壁１８の内面に当接している。連結材６の屋内側壁２０も、屋外側壁１９と同様に上下方向の中間部で屈曲しており、屋内側壁は２０上下縦ルーバー４，５の裏板保持溝１４の屋外側端に当接している。このような連結材６を、上縦ルーバー４と下縦ルーバー５の小口１６同士を突き合せた屈曲部７の中空部内に配置することで、上縦ルーバー４と下縦ルーバー５を前後左右方向に動かないように正確に位置決めできる。連結材の上壁２１と下壁２２の内面にはタッピングホール２３が形成してあり、上縦ルーバー４と下縦ルーバー５の側方からネジ２４を連結材６のタッピングホール２３にねじ込むことで、上下縦ルーバー４，５と連結材６とを固定してある。
【００１２】
屈曲ルーバー１の組立は、上縦ルーバー４又は下縦ルーバー５の何れか一方の中空部内に連結材６を挿入し、側方からネジ２４で連結材６を固定する。その後、上縦ルーバー４又は下縦ルーバー５の他方の中空部内に連結材６を挿入し、側方からのネジ２４で固定する。上記のとおり、連結材６は上下縦ルーバー４，５の屈曲部７における中空部内にぴったり嵌る形状となっているので、このように上下縦ルーバー４，５を連結材６で連結することで、上下縦ルーバー４，５を一定の角度で正確に屈曲部７を形成して連結できる。
【００１３】
横材２は、図１に示すように、アルミ形材で形成した略矩形中空断面の部材であり、屋外側壁を下方に垂下して取付片２５が形成してあり、屋内側壁にボルト２６の頭を保持させた取付材３９を保持する取付材保持溝２７が長手方向に形成してある。屈曲ルーバー１には、長手方向の所定の位置に裏板２９が裏板保持溝１４に保持しネジ２８で固定してあらかじめ取付けてあって、横材２の取付片２５に挿入したボルト３０を裏板２９に螺入することで、屈曲ルーバー１を横材２に取付けている。
【００１４】
ブラケット３は、図１に示すように、横材２に取付けられる横材取付板部３１と、躯体８に取付けられる躯体取付板部３２と、その間に設けたリブ３３を有している。横材取付板部３１は、横材２の取付材保持溝２７に保持したボルト２６とナット３４とで横材２に固定される。躯体取付板部３２は、ボルト３５とナット３６とで躯体８に固定される。中間の横材２を躯体８に連結するブラケット３には、パネル体９の自重を躯体８に伝える自重受けボルト３７を有している。
【００１５】
本パネル体９は、工場で複数の屈曲ルーバー１，１，…を横材２で連結して組み立ててから建築現場に搬入され、クレーンで吊り上げて躯体８に取付けられる。ブラケット３は、横材２にあらかじめ取付けておいてもよいし、クレーンで吊り上げて躯体８に連結する時点で取付けてもよい。
【００１６】
図４は、本発明のパネル体９の設置状態の一例を示している。パネル体９は、複数の屈曲ルーバー１，１，…を左右方向に間隔をおいて並べて配置され、図示しない横材２に取付けてある。各屈曲ルーバー１は、下縦ルーバー５が垂直になるように取付けてある。屈曲ルーバー１，１，…を使用したパネル体９の側方には、屈曲部７を有しないまっすぐなルーバー４０，４０，…を使用したパネル体４１が並べて設置してある。
【００１７】
以上に述べたように本パネル体９は、屈曲ルーバー１，１，…と横材２とブラケット３とを備え、屈曲ルーバー１は、上縦ルーバー４と下縦ルーバー５の小口１６を角度をもって突き合せ、連結材６により上縦ルーバー４と下縦ルーバー５を屈曲部７を形成して連結してあり、横材２は、屈曲ルーバー１同士をつないでおり、ブラケット３は、横材２に取付けて躯体８に連結してある構成により、屈曲ルーバー１，１，…の屈曲部７がアクセントとなり、意匠性の高いものとなる。また、屈曲ルーバー１とすることで、横材２同士が見込み方向に離れた位置に設けられているような場合であっても、ルーバー１を取付できる。
連結材６は、上縦ルーバー４と下縦ルーバー５の中空部内に位置しており、外部からは見えないので、屈曲ルーバー１の意匠性をさらに向上できる。
本パネル体９は、連結材６が上縦ルーバー４と下縦ルーバー５を前後左右方向に位置決めする中空形材であり、各縦ルーバー４，５をねじ止めするタッピングホール２３を有しているので、上縦ルーバー４と下縦ルーバー５とを正確に位置決めしてねじ止めすることができ、屈曲ルーバー１を正確に且つ容易に形成できる。
連結材６は、押出形材を切断して形成したものであり、屈曲部７の形状に合わせて形成した位置決め部１７と、上縦ルーバー４と下縦ルーバー５をねじ止めするためのタッピングホール２３を有しているので、多数の屈曲ルーバー１，１，…に一定の角度の屈曲部７を精度良く形成することができ、しかも連結材６は押出形材を切断するだけで簡単に製作できる。連結材６を中空形材で形成しているため、精度にバラツキが出ない。
上縦ルーバー４と下縦ルーバー５は、周囲の面がフラットであることで、風がどの方向から吹いても風切り音が発生しにくい。また、上縦ルーバー４と下縦ルーバー５は、連結材６の位置決め部１７が当接する面の反対側の面に裏板保持溝１４を長手方向に有しているので、屋内側の面をフラットにしながら横材２への良好な取付性を確保し、且つ連結材６により屈曲部７を正確に形成できる。
【００１８】
本発明は以上に述べた実施形態に限定されない。上縦ルーバー、下縦ルーバー及び横材の断面形状は、適宜変更することができる。屈曲ルーバーの姿勢は任意であり、下縦ルーバーが垂直で上縦ルーバーのみが傾斜するもの、上縦ルーバーが垂直で下縦ルーバーのみが傾斜するものであってもよい。また屈曲ルーバーは、正面から見て左右方向に傾けて配置することもできる。屈曲部は、１本のルーバー中に複数箇所設けることもできる。連結材は、中空形材で形成したものに限らず、型で成形した金属又は樹脂の部品等であってもよい。
【符号の説明】
【００１９】
１  屈曲ルーバー
２  横材
３  ブラケット
４  上縦ルーバー
５  下縦ルーバー
６  連結材
７  屈曲部
８  躯体
９  パネル体
【要約】
【課題】  意匠性の高いパネル体の提供。
【解決手段】  屈曲ルーバー１，１，…と横材２とブラケット３とを備え、屈曲ルーバー１は、上縦ルーバー４と下縦ルーバー５の小口１６を角度をもって突き合せ、連結材６により上縦ルーバー４と下縦ルーバー５を屈曲部７を形成して連結してあり、横材２は、屈曲ルーバー１同士をつないでおり、ブラケット３は、横材２に取付けて躯体８に連結してある。
【選択図】      図１【図１】
0006790191.tif 000002
【図２】
0006790191.tif 000003
【図３】
0006790191.tif 000004
【図４】
0006790191.tif 000005